(57)【要約】  【課題】使い勝手を向上したネットワークサービスシステムを提供する。  【解決手段】ユーザが店舗15に来店した際に店舗15で登録したＩＤに基づいてユーザのステーション５へのアクセスを認証し、店舗ＨＰ16からの情報を、ステーション５からメールとしてユーザに送信可能とすることで、ユーザは携帯電話２を介して店舗ＨＰ16に任意の時間および場所にてアクセスしてサービスを受けることができ、出店者は会員登録されたユーザに対応してメールを送信できるので、ユーザと出店者との双方向での発信が可能となり、使い勝手を向上できる。  【選択図】図１
2006209242.tif 000002
【特許請求の範囲】
【請求項１】
少なくとも携帯端末からアクセス可能なネットワーク上に設けられ、ユーザにサービスを提供するネットワークサービスシステムであって、
前記ネットワーク上のサーバに設けられた仮想モールと、
この仮想モールに登録され、所定の地域に店舗を有する複数の出店者によりそれぞれ出店され前記店舗にて提供するサービスに対応したサービスを提供する複数の仮想店舗と、
ユーザが前記店舗の少なくともいずれかに来店した際にこの店舗にて登録されたＩＤに基づきユーザの携帯端末からの前記仮想モールへのアクセスを認証する認証手段とを具備し、
前記各仮想店舗は、ユーザがそれぞれ会員登録可能であり、
前記仮想モールは、ユーザが会員登録した前記仮想店舗からの情報を電子メールとしてユーザの携帯端末に送信可能である
ことを特徴としたネットワークサービスシステム。
【請求項２】
仮想モールは、ユーザが会員登録していない仮想店舗からの情報を掲示する掲示手段を備えた
ことを特徴とした請求項１記載のネットワークサービスシステム。
【請求項３】
仮想モールは、仮想店舗を検索可能な検索手段を備えた
ことを特徴とした請求項１または２記載のネットワークサービスシステム。
【請求項４】
電子メールを所定の条件に基づいてフィルタリングするメールフィルタリング手段を具備した
ことを特徴とした請求項１ないし３いずれか一記載のネットワークサービスシステム。
【発明の詳細な説明】
【技術分野】
【０００１】
本発明は、ネットワーク上にてユーザにサービスを提供するネットワークサービスシステムに関する。
【背景技術】
【０００２】
従来、実際の店舗を出店する出店者は、その店舗の顧客が存在し、例えば店舗が病院などである場合には、顧客の予約時間などを受け付けることがある。
【０００３】
しかしながら、この受け付けに例えば電話などを利用する場合には、受け付け可能な時間が店舗の営業時間に限定されるなど、顧客にとって必ずしも使い勝手がよいものではない。
【０００４】
そこで、例えば、サービスを提供する仮想店舗を出店者がネットワーク上の仮想モールに出店し、これら仮想店舗に不特定多数のユーザが、時間あるいは場所などを問わずにアクセスして仮想店舗にて提供されるサービスを利用可能とするネットワークサービスシステムが知られており、このようなネットワークサービスシステムを実際の店舗の受け付けなどに利用することが考えられる（例えば、特許文献１参照。）。
【特許文献１】特開２００２−３５２１０４号公報（第３頁、図１）
【発明の開示】
【発明が解決しようとする課題】
【０００５】
例えば店舗が病院などの場合には、ユーザは仮想店舗上で出店者とやりとりするだけでなく、実際に来院することが殆どであり、仮想店舗上でも出店者がユーザに応じた対応をすることが求められる。
【０００６】
しかしながら、上述のようなネットワークサービスシステムでは、店舗の顧客以外にも不特定多数のユーザがアクセス可能であるため、出店者がユーザに応じた対応をすることが容易でなく、使い勝手が良好でないという問題点を有している。
【０００７】
また、ネットワーク上で仮想モールに会員登録をしたユーザのみをアクセス可能とすることも考えられるが、会員登録されたユーザのデータが、正確なユーザのデータであるかどうかを出店者側が確認することが容易でないという問題もある。
【０００８】
本発明は、このような点に鑑みなされたもので、使い勝手を向上したネットワークサービスシステムを提供することを目的とする。
【課題を解決するための手段】
【０００９】
請求項１記載のネットワークサービスシステムは、少なくとも携帯端末からアクセス可能なネットワーク上に設けられ、ユーザにサービスを提供するネットワークサービスシステムであって、前記ネットワーク上のサーバに設けられた仮想モールと、この仮想モールに登録され、所定の地域に店舗を有する複数の出店者によりそれぞれ出店され前記店舗にて提供するサービスに対応したサービスを提供する複数の仮想店舗と、ユーザが前記店舗の少なくともいずれかに来店した際にこの店舗にて登録されたＩＤに基づきユーザの携帯端末からの前記仮想モールへのアクセスを認証する認証手段とを具備し、前記各仮想店舗は、ユーザがそれぞれ会員登録可能であり、前記仮想モールは、ユーザが会員登録した前記仮想店舗からの情報を電子メールとしてユーザの携帯端末に送信可能であるものである。
【００１０】
そして、ユーザが店舗に来店した際に店舗で登録したＩＤに基づいてユーザの仮想モールへのアクセスを認証し、店舗の出店者により仮想モールに登録され仮想モールにてユーザが会員登録した仮想店舗からの情報を、仮想モールから電子メールとしてユーザに送信可能とすることで、ユーザは携帯端末を介して店舗の出店者の仮想店舗に任意の時間および場所にてアクセスしてサービスを受けることができ、出店者は会員登録されたユーザに対応して電子メールを送信できるので、ユーザと出店者との双方向での発信が可能となり、使い勝手が向上する。
【００１１】
請求項２記載のネットワークサービスシステムは、請求項１記載のネットワークサービスシステムにおいて、仮想モールは、ユーザが会員登録していない仮想店舗からの情報を掲示する掲示手段を備えたものである。
【００１２】
そして、会員登録していない仮想店舗からの情報を掲示手段に掲示することで、ユーザは会員登録していない仮想店舗の情報を掲示手段から得ることができ、使い勝手がより向上する。
【００１３】
請求項３記載のネットワークサービスシステムは、請求項１または２記載のネットワークサービスシステムにおいて、仮想モールは、仮想店舗を検索可能な検索手段を備えたものである。
【００１４】
そして、仮想店舗を検索手段により検索可能とすることで、使い勝手がより向上する。
【００１５】
請求項４記載のネットワークサービスシステムは、請求項１ないし３いずれか一記載のネットワークサービスシステムにおいて、電子メールを所定の条件に基づいてフィルタリングするメールフィルタリング手段を具備したものである。
【００１６】
そして、電子メールを所定の条件に基づいてメールフィルタリング手段でフィルタリングすることで、迷惑メールなどをユーザが受け取ることを防止でき、使い勝手がより向上する。
【発明の効果】
【００１７】
請求項１記載のネットワークサービスシステムによれば、ユーザが店舗に来店した際に店舗で登録したＩＤに基づいてユーザの仮想モールへのアクセスを認証し、店舗の出店者により仮想モールに登録され仮想モールにてユーザが会員登録した仮想店舗からの情報を、仮想モールから電子メールとしてユーザに送信可能とすることで、ユーザは携帯端末を介して店舗の出店者の仮想店舗に任意の時間および場所にてアクセスしてサービスを受けることができ、出店者は会員登録されたユーザに対応して電子メールを送信できるので、ユーザと出店者との双方向での発信が可能となり、使い勝手を向上できる。
【００１８】
請求項２記載のネットワークサービスシステムによれば、請求項１記載のネットワークサービスシステムの効果に加えて、会員登録していない仮想店舗からの情報を掲示手段に掲示することで、ユーザは会員登録していない仮想店舗の情報を掲示手段から得ることができ、使い勝手をより向上できる。
【００１９】
請求項３記載のネットワークサービスシステムによれば、請求項１または２記載のネットワークサービスシステムの効果に加えて、仮想店舗を検索手段により検索可能とすることで、使い勝手をより向上できる。
【００２０】
請求項４記載のネットワークサービスシステムによれば、請求項１ないし３いずれか一記載のネットワークサービスシステムの効果に加えて、電子メールを所定の条件に基づいてメールフィルタリング手段でフィルタリングすることで、迷惑メールなどをユーザが受け取ることを防止でき、使い勝手をより向上できる。
【発明を実施するための最良の形態】
【００２１】
以下、本発明の一実施の形態のネットワークサービスシステムの構成を図面を参照して説明する。
【００２２】
図１において、１はネットワークサービスシステムを示し、このネットワークサービスシステム１は、ユーザの携帯端末としての携帯電話２によりアクセス可能なインターネットなどのネットワーク３に設けられたサーバ４と、このサーバ４に設けられた仮想モールとしてのステーション５と、このステーション５へのユーザの携帯電話２からのアクセスを認証する認証手段６と、ステーション５で受信する電子メール（以下、単にメールという）をフィルタリングするメールフィルタリング手段としてのフィルタリング部７とを備えている。
【００２３】
サーバ４は、ユーザの携帯電話２から任意にアクセスしてこの携帯電話２の所定のブラウザにて閲覧可能な例えば図２に示すトップページを備え、このトップページには、ステーション５の名称およびログインボタン12などが設けられ、このログインボタン12をユーザが選択することにより、認証手段６が起動される。
【００２４】
また、ステーション５には、所定の地域にそれぞれ店舗15を出店している複数の出店者から仮想店舗としての店舗ホームページ16（以下、店舗ＨＰ16という）がそれぞれ出店されて登録されている。さらに、このステーション５には、店舗ＨＰ16を検索する検索手段17、所定の情報を表示する掲示手段としての掲示板18、出店者からの各種トピックスを表示するトピックス表示部19、および、フィルタリング部７によるメールフィルタリングサービスの利用を登録するフィルタリングサービス登録手段21がそれぞれ設けられている。
【００２５】
なお、ステーション５は、セキュリティ対策として、ＳＳＬ（Secure Socket Layer）に対応させたり、定期的にバックアップを取ったり、あるいは、サーバ４がダウンした場合のために互いに異なる２台のサーバ４で平行運用したりする。
【００２６】
認証手段６は、ユーザが店舗15に来店した際にこの店舗15で登録したＩＤに基づき、ユーザのステーション５へのアクセスを認証するものである。具体的には、携帯電話２のメールアドレスを店舗15にて登録した際にＩＤが発行され、このＩＤは登録されたユーザの携帯電話２のメールアドレスにお礼のメールなどともに送信される。
【００２７】
店舗ＨＰ16は、店舗15で提供するサービスに対応したサービスを提供するもので、例えば店舗15の概要、店舗15の写真、店舗15の所在地、店舗15の連絡先、店舗15のサービス（商品）の説明、各種トピックス、他のサーバに既設されているホームページへのリンクなどが表示されているとともに、ユーザが携帯電話２のメールアドレスおよび名前などを入力して会員登録をしたり、あるいは、店舗15でのサービスに対するユーザの予約状況を表示したり、この表示を見ながらユーザが予約を登録したり、この登録された予約の変更／取り消しをしたりすることが可能となっている。また、店舗ＨＰ16にて、出店者側では、新しい予約情報が入った際に音が鳴り、その予約内容をポップアップで表示されるようにしてもよい。
【００２８】
なお、これら会員登録の内容および予約情報などは、ステーション５に送信され、このステーション５により管理されている。そして、会員登録、あるいは予約、予約の変更／取り消しの際には、ステーション５からユーザの携帯電話２に会員登録完了、あるいは予約了承、予約変更了承および予約取り消しのメッセージメールが自動的に送信される。このメッセージメールは、予め店舗ＨＰ16の出店者などによりステーション５に登録されている。
【００２９】
具体的に、例えば店舗15が病院である場合には、図３に示すように、店舗ＨＰ16に、病院名、病院の写真、所在地、電話番号、ＦＡＸ番号、受付時間、診療時間、診療内容、駐車場の有無、トピックス情報、および、ホームページへのリンクなどが表示され、診察状況予約表示ボタン25、会員登録ボタン26、および、管理者通信ボタン27などが設けられている。
【００３０】
ここで、診察状況予約表示ボタン25は、ユーザが選択することで例えばユーザの診療予約を入力、変更、あるいは取り消し可能な画面を携帯電話２のブラウザに表示するものであり、具体的に、例えば店舗15が病院である場合には、選択可能な病院の施設が表示される図４(a)に示す施設選択画面、予約可能な日付が表示される図４(b)に示す日付選択画面、および、予約可能な時間が表示される図４(c)に示す時間選択画面が順次表示されてユーザが予約状況を確認可能となっており、これら予約内容を入力した際にこの入力した内容を確認する図４(d)に示す確認画面が表示され、この確認画面に設けられた送信ボタン28を選択することで、予約内容を店舗ＨＰ16およびステーション５に登録可能となっている。
【００３１】
また、会員登録ボタン26は、ユーザが選択することで例えばユーザの名前、このユーザの携帯電話２などのメールアドレス、電話番号、住所、年齢、性別、職業および店舗ＨＰ16からの特典情報などのメールを受信するかどうかなどを入力、変更、あるいは取り消し可能な画面を携帯電話２のブラウザに表示するものである。
【００３２】
さらに、管理者通信ボタン27は、店舗ＨＰ16の出店者側の管理用ホームページにのみ表示されるボタンであり、ユーザの携帯電話２からは見ることができないものである。そして、この管理者通信ボタン27は、ユーザからの予約状況を表示し、予約了承、予約変更了承、予約取り消しに対するメールの送信、ユーザに提供する特典情報（店舗15の独自情報、例えば店舗15が病院の際の定期検診のお知らせ、あるいは特売品のお知らせ、割引情報、限定品販売情報などのその他特典情報など）の登録、トピックス表示部19に表示するピックス情報の登録、メールアドレスの登録などが可能となっている。
【００３３】
なお、上記特典情報は、会員登録したユーザが指定した場合にのみ、ステーション５からユーザのメールアドレスに、例えば１週間毎などに定期的にメールとして自動送信される。
【００３４】
具体的に、図５に示すように、店舗ＨＰ16の出店者側の管理用ホームページでは、例えば店舗15が病院である場合に、指定日診療予約状況、週間診療予約状況、年月別診療予約状況および携帯電話２からの患者の予約一覧などの随時処理される項目、あるいは、カレンダー、変更詳細一覧画面、診察登録画面、自病院情報登録、診療科登録、患者情報登録、ドクター情報登録、院内診療時間設定処理およびドクター勤務時間設定などのマスター項目がそれぞれ入力、確認および変更可能な入力フォームが表示される。
【００３５】
例えば、年月別診療予約状況の項目を選択すると、図６(a)に示すように、指定した月の予約状況および店舗15の休日などが日毎に午前・午後に分けて○×△で表示され、また、指定日診療予約状況の項目を選択すると、図６(b)に示すように、指定した日の予約状況が、所定の時間毎に○×△で表示されたり、その時間毎の予約可能人数、予約者のステーション５の会員ＩＤ、予約者の名前およびメールアドレスなどが表示されたりする。
【００３６】
そして、この店舗ＨＰ16の出店者側の管理用のホームページでは、店舗ＨＰ16で予約された予約状況一覧に対する処理内容を確認可能となっており、具体的には、例えば店舗15が病院である場合の診療予約状況が、図７(a)に示すように、予約の受取日、受取時間、予約したユーザすなわち患者の名前、患者コード、患者の連絡先のメールアドレス、患者番号、予約日、予約時間、予約した診療科、および、担当のドクターなどとともに表示され、予約された内容に対して、例えば患者の予約了承、予約の変更および取り消し、あるいは予約の受付不可などのメールをステーション５を介して送信処理した際に、図７(b)に示すように、処理済欄に「済み」と表示されるとともに、その処理内容が処理済内容欄に表示され、出店者が確認可能となっている。なお、これら処理を取り消した際には、再度図７(a)に示す状態に切り換わるようになっている。
【００３７】
検索手段17では、店舗ＨＰ16を、例えば店舗15の業種毎、あるいは店舗15の屋号（名前）の五十音順などにより検索可能である。
【００３８】
具体的に、検索手段17には、図８に示すインデックスページが設けられ、例えば病院、美容院、スーパー、居酒屋および飲食店などの業種を選択する業種選択部31、および、五十音を選択する五十音選択部32などが設けられ、ユーザがこれら業種選択部31および五十音選択部32などにより所望の業種、あるいは五十音などを選択した際に、その選択された業種毎、あるいは五十音毎に、ステーション５に登録されている店舗ＨＰ16の一覧が表示され、ユーザが所望の店舗ＨＰ16を選択可能となっている。なお、選択された店舗ＨＰ16の一覧が一度に表示しきれない場合には、例えばインデックスページの下部などに設けられた表示切換ボタン33を選択することで画面を切り換えて表示可能とする。また、この検索手段17のインデックスページにて選択された店舗ＨＰ16は、このインデックスページの隣に同時に表示することで利便性を向上してもよい。
【００３９】
また、掲示板18は、ステーション５にアクセスしているユーザが会員登録していない店舗ＨＰ16からの各種情報を掲示するものであり、例えばユーザが店舗ＨＰ16の出店者に対して情報を募ったりすることも可能である。
【００４０】
具体的に、掲示板18は、図９に示すように、通常のインターネット掲示板などと同様に、掲示内容を投稿した投稿者の名前、投稿日、投稿タイトル、投稿された掲示内容の対象となる会社名およびその部署名、投稿者の電話番号およびメールアドレスなどが表示され、その内容に対して返信などが可能となっている。
【００４１】
さらに、トピックス表示部19は、店舗ＨＰ16の出店者からの店舗15に関するトピックスなどが表示されるもので、その表示内容は、出店者側から予めステーション５に登録され、例えば定期的に更新される。
【００４２】
また、フィルタリングサービス登録手段21は、ユーザが例えば携帯電話２のメールアドレス、連絡先電話番号、名前、住所、郵便番号、年齢、職業および性別などとともに、出店者側のメールアドレス以外のメールアドレスからのメールのフィルタリング部７によるフィルタリングサービスの利用をステーション５に登録したり、この登録を確認する確認メールがステーション５から送信された際に、例えばそのメールアドレスからのメールを拒否する拒否メールアドレス、あるいはそのメールアドレスからのメール以外のメールアドレスからのメールを拒否する許可メールアドレスなどをユーザがステーション５に登録したりするものである。なお、これら拒否メールアドレス、あるいは許可メールアドレスは、例えば所定の数ステーション５に登録可能となっている。
【００４３】
さらに、フィルタリング部７は、ステーション５に送信されてきたメールを一旦溜める私書箱の機能を有するとともに、このフィルタリング部７に一旦溜めたメールにフィルタリングを掛ける機能を有するものであり、ユーザがフィルタリングサービス登録手段21にて登録した拒否メールアドレスを有するメールがある場合には、それを破棄し、ユーザがフィルタリングサービス登録手段21にて登録した許可メールアドレスを有するメールのみをユーザに転送するものである。
【００４４】
そして、ステーション５側では、ＩＤを有するユーザの顧客管理と、店舗ＨＰ16の出店者の出店者管理とがなされている。
【００４５】
すなわち、ステーション５側では、店舗ＨＰ16に会員登録したユーザの顧客情報管理、ステーション５から送信するユーザのメールアドレス、このユーザのメールアドレスにメールを送信可能なステーション５のメールアドレス、店舗ＨＰ16に会員登録したユーザの予約状況（利用日時、利用した店舗ＨＰ16、性別など）の統計情報などの予約情報の管理、ユーザへのメール配信許可送信、フィルタリング部７を利用したメールフィルタリングサービスの登録内容などを管理することで顧客管理をしている。
【００４６】
また、ステーション５側では、店舗ＨＰ16の店舗名、ユーザのメールアドレスにメールを送信できる出店者側のメールアドレス、他のサーバのホームページのＵＲＬ、店舗15の所在地、電話番号（代表、携帯電話）およびＦＡＸ番号、問い合わせ担当者名などの出店者情報、あるいは、店舗ＨＰ16に会員登録されメール配信を希望したユーザのメーリングリストの作成および変更、さらにはユーザのデータ蓄積により店舗ＨＰ16の出店者側に営業活動の参考資料を作成したりする。
【００４７】
次に、上記一実施の形態の動作を説明する。
【００４８】
まず、ユーザは、店舗15に行った際に、携帯電話２のメールアドレスと自分のＩＤとをステーション５に登録する。具体的には、店舗15に行った際に、メールアドレスを携帯電話２からこの店舗15の店舗ＨＰ16に転送したり、この店舗15の店舗ＨＰ16にて直接メールアドレスを入力したり、メールアドレスを出店者に手渡して出店者に店舗ＨＰ16にて入力してもらったりし、このとき同時にＩＤを登録する。
【００４９】
次いで、メールアドレスとＩＤとをステーション５に登録すると、出店者は確認メールに、登録されたメールアドレスとＩＤと、お礼の文書とを添付してユーザの携帯電話２に送信する。
【００５０】
ＩＤを受け取ったユーザは、携帯電話２からネットワーク３のサーバ４にアクセスし、トップページのログインボタン12を選択して、受け取ったＩＤを入力する。
【００５１】
このとき、認証手段６が起動され、ステーション５に登録されたＩＤと、ユーザにより入力されたＩＤとを照会し、ユーザのステーション５へのアクセスを認証する。
【００５２】
認証されたユーザは、ステーション５にて、出店されている店舗ＨＰ16を検索手段17により検索したり、掲示板18を利用したり、トピックス表示部19にてトピックス情報を確認したり、フィルタリングサービス登録手段21を利用したりする。
【００５３】
店舗ＨＰ16の検索に際しては、図８に示すように、インデックスページの業種選択部31あるいは五十音選択部32などにて所望の店舗ＨＰ16を検索して選択することで、店舗ＨＰ16が表示される。
【００５４】
ユーザは、この店舗ＨＰ16にて会員登録をし、店舗ＨＰ16上に表示されている情報を利用したり、必要に応じて予約登録をしたりする。
【００５５】
このとき、例えば店舗15が病院である場合に、図４(a)に示す施設選択画面にてユーザが所望の施設を選択し、次いで図４(b)に示す日付選択画面にて日付を選択し、さらに図４(c)に示す時間選択画面にて予約内容を設定した後、図４(d)に示す確認画面で予約内容を確認して、例えば登録した電話番号を入力し、送信ボタン28を選択することで、予約を登録する。
【００５６】
また、予約が登録された際には、店舗ＨＰ16の出店者から予約了承、予約変更、あるいは予約取り消しのメールがステーション５を介してユーザの携帯電話２に送信されるとともに、例えば予約時間まで定期的にユーザの携帯電話２にステーション５を介して自動的にメールを送信する。
【００５７】
フィルタリングサービス登録手段21を利用するに際しては、ユーザが携帯電話２から所定の情報を入力すると、ステーション５でのユーザのメールアドレスを携帯電話２に返信し、この返信されたメールアドレスに対して、ユーザが携帯電話２からメールフィルタリングの内容を登録すると、この登録内容に基づいて、任意のメール送信者からのメールをフィルタリング部７に一旦溜めた後に、これらメールをフィルタリングし、ユーザに受信を許可されたメールをユーザのメールアドレスに転送するとともに、ユーザに受信を許可されていないメールを破棄する。
【００５８】
上述したように、上記一実施の形態によれば、ユーザが店舗15に来店した際に店舗15で登録したＩＤに基づいてユーザのステーション５へのアクセスを認証し、店舗ＨＰ16からの情報を、ステーション５からメールとしてユーザに送信可能とすることで、ユーザは携帯電話２を介して店舗ＨＰ16に任意の時間および場所にてアクセスしてサービスを受けることができ、出店者は会員登録されたユーザに対応してメールを送信できるので、ユーザと出店者との双方向での発信が可能となり、使い勝手を向上できる。
【００５９】
すなわち、不特定多数のユーザからのアクセスを待つだけの従来のネットワークサービスシステムと異なり、店舗ＨＰ16の出店者側からユーザの携帯電話２に対してアクションをすることが可能となるので、使い勝手が向上する。
【００６０】
特に、ユーザの携帯電話２に対してメールを送信できるため、例えばユーザの予約に対して予約時間前に定期的にメールを送信してユーザが予約を忘れることなどを確実に防止できる。
【００６１】
また、ステーション５を会員登録制とすることで、店舗ＨＰ16からは登録されたユーザに対応した情報をメールで送信することが可能となり、使い勝手をより向上できるとともに、ステーション５に出店された店舗ＨＰ16の出店者と面識があるユーザのみがステーション５にアクセス可能であるため、いたずら防止なども可能になる。
【００６２】
さらに、会員登録していない店舗ＨＰ16からの情報を掲示板18に掲示することで、ユーザは会員登録していない店舗ＨＰ16の情報を掲示板18から得ることができ、使い勝手をより向上できる。
【００６３】
そして、店舗ＨＰ16を検索手段17にて業種別、あるいは五十音順などにて検索可能とすることで、使い勝手をより向上できる。
【００６４】
さらに、ステーション５に送信されたメールを所定の条件に基づいてフィルタリング部７でフィルタリングすることで、例えば迷惑メールなどをユーザが受け取ることを防止でき、使い勝手をより向上できる。
【００６５】
しかも、ステーション５に送信されたメールをフィルタリング部７に一旦溜め、この溜めたメールにフィルタリングを掛けることにより、ステーション５に送信されるメールに直接フィルタリングを掛ける場合よりも容易にメールをフィルタリングできる。
【００６６】
そして、店舗15の出店者は、店舗ＨＰ16をステーション５に登録することで、予約の秋状況などを表示でき、また、ユーザの予約、予約の変更および取り消しなどに対してはステーション５から自動的にメッセージメールをユーザに送信できるとともに、会員登録時にメールの受信を了承した多数のユーザに対して、ステーション５側で作成したメーリングリストを用いて特典情報のメールなどを一度に送信できる。この結果、ユーザにダイレクトメールなどを送付したり、電話をかけたりして店舗15の販売促進をしていた従来の場合と比較して、手間や費用をかけることなく販売促進をすることが可能となり、また、店舗ＨＰ16にて会員登録したユーザ以外のステーション５の会員に対しても掲示板18を利用して情報を発信でき、使い勝手が向上する。
【００６７】
しかも、ステーション５は、例えば同じ町内などの所定の地域に店舗15を出店している出店者の店舗ＨＰ16がそれぞれ登録されているので、このステーション５の会員となったユーザがこのステーション５に登録された店舗ＨＰ16を有する出店者の店舗15に来店した際に、その店舗15の近傍に出店されている他の店舗15に立ち寄る機会をも増やすことができ、効率よく販売を促進することが可能になる。
【００６８】
なお、上記一実施の形態において、ステーション５はＰＣからもアクセス可能とすることもできる。この場合には、ユーザがＰＣによっても利用でき、使い勝手がより向上する。
【００６９】
また、携帯端末としては、携帯電話２に限らず、他の任意の携帯端末を利用することができる。
【００７０】
さらに、サーバ４のトップページ、ステーション５のインデックスページ、掲示板18などの各種構成は、任意に設定可能である。
【図面の簡単な説明】
【００７１】
【図１】本発明の一実施の形態のネットワークサービスシステムを示す説明図である。
【図２】同上ネットワークサービスシステムのサーバのトップページの一例を示す説明図である。
【図３】同上ネットワークサービスシステムの仮想店舗の一例を示す説明図である。
【図４】(a)は同上ネットワークサービスシステムの予約入力の際の画面の一例を示す説明図、(b)は同上予約入力の際の画面の他の一例を示す説明図、(c)は同上予約入力の際の画面のさらに他の一例を示す説明図、(d)は同上ネットワークサービスシステムの予約入力の際の画面のさらに他の一例を示す説明図である。
【図５】同上出店者側で表示される各種管理入力用の入力フォームの一例を示す説明図である。
【図６】(a)は同上ネットワークサービスシステムの予約状況一覧の一例を示す説明図、(b)は同上予約状況一覧の他の一例を示す説明図である。
【図７】(a)は同上予約状況一覧に対する処理内容の確認画面の一例を示す説明図、(b)は同上予約状況一覧に対する処理内容の確認画面の他の一例を示す説明図である。
【図８】同上検索手段の一例を示す説明図である。
【図９】同上掲示手段の一例を示す説明図である。
【符号の説明】
【００７２】
１    ネットワークサービスシステム
２    携帯端末としての携帯電話
３    ネットワーク
４    サーバ
５    仮想モールとしてのステーション
６    認証手段
７    メールフィルタリング手段としてのフィルタリング部
15    店舗
16    仮想店舗としての店舗ホームページ
17    検索手段
18    掲示手段としての掲示板
【図１】
2006209242.tif 000003
【図２】
2006209242.tif 000004
【図３】
2006209242.tif 000005
【図４】
2006209242.tif 000006
【図５】
2006209242.tif 000007
【図６】
2006209242.tif 000008
【図７】
2006209242.tif 000009
【図８】
2006209242.tif 000010
【図９】
2006209242.tif 000011